(57)【要約】【課題】  編目が編目抑止板の編目抑止溝の平行部と針床との間に噛み込みで挟まっても、編目を解放可能にする編目抑止板を備えた横編機を提供する。【解決手段】編目抑止板１は、編目抑止溝２の平行部５と斜行部６との間に段差部７を有する。編目抑止溝２内に導かれた編目は、編針が進退しても、平行部５と内側縁３ａとの間に抑止される。しかしながら、抑止される編目は、編針の動きに伴って連れ動きを繰り返す。編糸が細くなると、連れ動きの結果、平行部５と針床との間で編糸の挟み込みが発生するおそれがある。平行部５で挟み込みが発生しても、段差部７通過の際に編目を下降させて、挟み込まれた編目を解放させることができる。【選択図】図１
2018145535.tif 000002
【特許請求の範囲】
【請求項１】
隣接する指袋間で、指股の一部の編目が重なる股重ねを編成する際に用いられる編目抑止板を備えた横編機において、
編目抑止板は、
先に編成された指袋の編目を抑えるために歯口側で編幅の一方側に延びるように設けられる係止片部、
係止片部の内側縁と、内側縁に編幅の他方側で連なる奥端部と、奥端部に連なり、内側縁に歯口から離れる方向に間隔をあけて対向する平行部とで囲まれる編目抑止溝、および
係止片部の先端から編幅の一方側に間隔をあけた位置の開始端から編幅の他方で編目抑止溝の近傍の位置の終了端まで、歯口から離れるように傾斜する斜行部
を有し、針床の歯口近傍で編針の裏面を抑え、編幅方向に移動可能であり、
平行部から斜行部の終了端まで、編幅の一方側で歯口から離れるように傾斜する段差部を有する
ことを特徴とする編目抑止板を備えた横編機。
【請求項２】
前記段差部を、前記係止片部の先端よりも編幅の前記他方側に有することを特徴とする請求項１記載の編目抑止板を備えた横編機。
【請求項３】
前記編目抑止溝で前記内側縁と前記平行部との間隔は、前記編目抑止板が前記編針の裏面に当接する一面側で狭く、他面側で間隔が広くなることを特徴とする請求項１または２記載の編目抑止板を備えた横編機。
【発明の詳細な説明】
【技術分野】
【０００１】
本発明は、手袋の指股を股重ねして編成可能な、編目抑止板を備えた横編機に関する。
【背景技術】
【０００２】
従来から、前後に針床を備える横編機のうち、カミソリとも呼ばれる編目抑止板を備えた横編機は、手袋の指股を股重ねして、指袋間に孔が開かないように編成するために用いられている（たとえば、特許文献１、２参照）。このような横編機は、各種作業用などの手袋を、効率よく、低コストで編成するために、広く使用されている。
【０００３】
編目抑止板は、前後の針床が対向する歯口付近で、針床の下方から、歯口に進退する編針の底面側に当接し、編幅方向に移動可能である（特許文献２の図３参照）。編目抑止板（編口押え板）には、歯口から少し離れて、編幅の一方側に延びて開口する編目抑止溝（編口係止溝）が設けられる。編目抑止溝の歯口側では係止片部が編幅の一方側に延びる（特許文献１の図１参照）。編幅の他方側に順次隣接する指袋を編成する場合、一方側の指袋の編成後、他方側の指袋で股重ねを行う区間のうちで編幅の一方側の端の編針が編目抑止溝の奥端部付近に位置するように、編目抑止板を編幅の他方側から一方側に移動させる。一方側の指袋で編幅の他方側となる区間の編目は、係止片部の先端で編目抑止溝に導かれ、股重ねを行う端部の編目は奥端部で抑止され、その抑止が有効な編針では、問題なく、次の指袋の編目を編成することができる。次の指袋の編成後、編目抑止板を編幅の他方側に移動させれば、編目抑止溝で抑止されていた編目は、斜行部の傾斜に沿って歯口に臨む天歯に戻る。一方側の指袋の端部の編目を編目抑止溝で抑止していた編針では、他方側の指袋の端部として編成した編目も係止しているので、編目が重なって股重ねの状態となる。
【先行技術文献】
【特許文献】
【０００４】
【特許文献１】特許第３０５３３７６号公報
【特許文献２】特開２０１１−２６７４１号公報
【発明の概要】
【発明が解決しようとする課題】
【０００５】
編目抑止板は、編成のために歯口に進退する編針の底面側で接触し、編成された編目を編目抑止溝内では針幹に留める作用を行うので、編目の一部を編目抑止板と編針や針床との間に噛み込むおそれがある。特許文献１では、斜行部の端面を、上面に対して鋭角の勾配を持つ傾斜面として、編目が噛み込まれ難くしている。特許文献２では、編目抑止板が針床から離れないように規制し、編目が噛み込まれ難くしている。
【０００６】
近年、精密作業用などとして、細く伸縮性がある編糸で編成する手袋が要望されている。伸縮性がある編糸は、編成の際に掛る張力で、さらに細くなった状態で編目を形成する。このような編糸を使用すると、編目抑止板の編目抑止溝で、編幅方向に延びる平行部で噛み込みのおそれが増大する。
【０００７】
本発明の目的は、編目が編目抑止板の編目抑止溝の平行部と針床との間に噛み込みで挟まっても、編目を解放可能にする編目抑止板を備えた横編機を提供することである。
【課題を解決するための手段】
【０００８】
本発明は、隣接する指袋間で、指股の一部の編目が重なる股重ねを編成する際に用いられる編目抑止板を備えた横編機において、
編目抑止板は、
先に編成された指袋の編目を抑えるために歯口側で編幅の一方側に延びるように設けられる係止片部、
係止片部の内側縁と、内側縁に編幅の他方側で連なる奥端部と、奥端部に連なり、内側縁に歯口から離れる方向に間隔をあけて対向する平行部とで囲まれる編目抑止溝、および
係止片部の先端から編幅の一方側に間隔をあけた位置の開始端から編幅の他方側で編目抑止溝の近傍の位置の終了端まで、歯口から離れるように傾斜する斜行部
を有し、針床の歯口近傍で編針の裏面を抑え、編幅方向に移動可能であり、
平行部から斜行部の終了端まで、編幅の一方側で歯口から離れるように傾斜する段差部を有する
ことを特徴とする編目抑止板を備えた横編機である。
【０００９】
また本発明は、前記段差部を、前記係止片部の先端よりも編幅の前記他方側に有することを特徴とする。
【００１０】
また本発明の前記編目抑止溝で前記内側縁と前記平行部との間隔は、前記編目抑止板が前記編針の裏面に当接する一面側で狭く、他面側で間隔が広くなることを特徴とする。
【発明の効果】
【００１１】
本発明によれば、股重ね編成が終了し、編目抑止板を編幅の他方に移動させれば、平行部で針床との間に編目が挟まっていても、段差部を通過する際に解放させることができる。
【００１２】
また本発明によれば、斜行部を係止片部の先端よりも編幅の他方側で終了させることができ、斜行部の開始位置を従来と同じ位置にすると、傾斜角度を緩やかにして、編目に掛る負担を軽くすることができる。
【００１３】
また本発明によれば、針床は歯口側が高くなるように傾斜しているので、編目抑止溝に抑止する編目に連なって歯口下方に垂れ下がる編地を、負担を軽減して係止することができる。
【図面の簡単な説明】
【００１４】
【図１】図１は、本発明の一実施例としての編目抑止板を備えた横編機１０に使用する編目抑止板１の概略的な構成を示す正面図である。
【図２】図２は、図１の編目抑止板１で、編目抑止溝２付近の構成を示す部分的な平面図、正面図および側面断面図である。
【図３】図３は、図１の編目抑止板を備えた横編機１０の概略的な構成を示す側面断面図である。
【図４】図４は、図３の横編機１０に使用するニードルプレート１２の構成を示す平面図、正面図および右側面図である。
【図５】図５は、図４のニードルプレート１２の歯口側先端付近の構成を示す部分的な平面図、正面図および右側面図である。
【発明を実施するための形態】
【００１５】
以下、図１〜図５で、本発明の一実施例としての編目抑止板を備えた横編機１０の構成について説明する。説明の便宜上、説明対象の図には記載されていない部分について、他の図に記載される参照符を付して言及する場合がある。
【実施例】
【００１６】
図１は、編目抑止板1の概略的な構成を示す。図３で後述する編目抑止板１の使用状態では、図１での横方向が編幅方向となり、縦方向が編針の進退方向となり、上方側が歯口に臨む平坦な天歯１ａとなる。編目抑止板1は、編幅方向に細長く延びる板状の形状を有し、図の裏面側が編針１３の底面側に当接し、編幅方向に往復移動が可能である。編目抑止板1には、隣接する指袋間で、指股の一部の編目が重なる股重ねを編成する際に用いられる編目抑止溝２が形成されている。編目抑止溝２は、先に編成された指袋の編目を抑えるために歯口側で編幅の一方、図では右方に延びるように設けられる係止片部３、係止片部３の内側縁３ａと、内側縁３ａに編幅の他方側で連なる奥端部４と、奥端部４に連なり、内側縁３ａに歯口から離れる方向に間隔を開けて対向する平行部５とで、概ねＵ字状に囲まれる。
【００１７】
本実施例の編目抑止板１は、平行部５の一方側に斜行部６を有するとともに、平行部５と斜行部６との間に、図の下方、すなわち歯口から離れる方向に傾斜する段差部７を有する。斜行部６は、係止片部３の先端３ｂから編幅の一方に間隔をあけた位置の開始端６ａから編幅の他方で段差部７に連なる終了端６ｂまで、歯口から離れるように傾斜する。段差部７の高低として、平行部５から終了端６ｂまでで、編糸の径と同程度、歯口から離すようにする。
【００１８】
ただし、編幅方向について、係止片部３が延びる長さ、および編目抑止溝２の奥端部４から斜行部６の開始端６ａまでの長さなどの基本寸法は、従来からの編目抑止板と同一にする。手袋編成用の編目抑止板を備えた横編機では、編目抑止板を指袋の編成と連動して編幅方向に移動させる機構が設けられている。基本寸法を従来からの編目抑止板と同一にしておくことによって、本実施例の編目抑止板１を従来からの機構でも同様に駆動することができる。また、段差部７の位置を、係止片部３の先端３ｂよりも編幅の一方側にして、平行部５を係止片部３の先端３ｂ付近まで形成してもよい。
【００１９】
編目抑止板１の移動で、編目抑止溝２内に導かれた編目は、編針が進退しても、平行部５と対向する係止片部３の内側縁３ａとの間に抑止される。しかしながら、抑止される編目は、編針が先端のフックを歯口に進退させて新たな指袋の編目を編成する際に、編針の動きに伴って連れ動きを繰り返す。編糸が細くなると、連れ動きの結果、平行部５と針床との間で編糸の挟み込みが発生するおそれがある。本実施例では平行部５で挟み込みが発生しても、挟み込まれた編目は、高低差を設けた段差部７を通過する際に抜出すので、解放させることができる。
【００２０】
特許文献１の図１や図２に示されるように、従来は段差部７が設けられていないとともに、斜行部は係止片部の先端付近まで形成されている。股重ね編成が終了すると、編目抑止板１を編幅の他方に移動させる。編目抑止溝２内に抑止されていた編目は、斜行部６に沿って上昇し、斜行部６の開始端６ａを越えると平坦な天歯１ａの部分に戻る。本実施例では、段差部７を、係止片部３の先端３ｂよりも編幅の他方側に有する。段差部７に続く斜行部６も、係止片部３の先端３ｂよりも編幅方向の他方に入り込むまで形成されている。さらに本実施例の場合、平行部５の位置を内側縁３ａ側に近付けて編目抑止溝２を従来よりも狭くしているので、斜行部６の傾斜角度を従来よりも緩くすることもでき、斜行部６に沿って移動する編目に掛る負担を軽くすることができる。平行部５の位置が従来の編目抑止溝と同様で編目抑止溝が広い場合でも、段差部７を平行部５と斜行部６との間に設ければ、平行部５で挟み込まれた編目を段差部７で解放させることができる。
【００２１】
図２は、図１の編目抑止板１で、編目抑止溝２付近の構成を、（ａ）の平面図、（ｂ）の正面図、および（ｃ），（ｄ）の側面断面図でそれぞれ示す。なお、（ｃ），（ｄ）は、（ｂ）に示す切断面線Ｃ−Ｃ，Ｄ−Ｄから見た断面構成をそれぞれ示す。
【００２２】
（ｃ）に示すように、編目抑止溝２で内側縁３ａと平行部５との間隔は、編目抑止板１が編針の裏面に当接する一面である裏面側Ａｉで狭く、他面である表面側Ａｏで広くなる。図３で後述するように、針床は歯口側が高くなり、歯口を挟んで前後の針床がハの字状に対向する。使用状態の編目抑止板１は、裏面側が上面で天歯１ａが歯口側となり、編針に並行するように配置される。編目抑止溝２に抑止する編目に連なって歯口下方に垂れ下がる編地は、編針の裏面に当接する一面側とは逆の他面側で内側縁３ａと平行部５との間隔が広くなっているため、部材に擦れることなく、ストレートに垂れ下がり、負担を軽減して係止することができる。
【００２３】
（ｄ）に示すように、斜行部６は、裏面側の上縁部６ｃの板厚を薄くするために、裏面側から表面側にかけての断面形状が傾斜面となるようにしている。指股編成後に編目を天歯１ａに戻すように案内する斜行部６を傾斜面として、かつ上縁部６ｃの板厚を薄くすることによって、編目を円滑に案内して巻込み難くすることができる。
【００２４】
図３は、図１の編目抑止板を備えた横編機１０の概略的な構成を示す。横編機１０の針床は、基板１１にニードルプレート１２が立設されて形成される。ニードルプレート１２は、図の奥行方向である編幅方向に一定の間隔をあけて設けられ、ニードルプレート１２間に編針１３を収容する針溝が形成される。このような針床は、歯口１０ａを挟んで、対をなすように対向するけれども、一方の針床のみを示す。針溝内で、編針１３は先端のフック１３ａを歯口１０ａに進退させて、フック１３ａに受ける編糸で編目を形成する。編成された編目は、歯口１０ａから垂れ下がる編地２０に連なる。編針１３が針溝から抜けないように、帯金１４で上方から押えている。ニードルプレート１２には、歯口１０ａ側に先端部１２ａ、帯金１４の部分に帯金受け部１２ｂがそれぞれ設けられている。
【００２５】
編目抑止板１は、基板１１の歯口１０ａ側に設けられ、裏面側から裏面受け部材１５、上方から上方受け部材１６によって、編針１３の底面側に当接するように保持される。ただし、上方受け部材１６は、基板１１の取付部１１ａに取付けられる。取付部１１ａは、針床で、ニードルプレート１２が立設されて編針１３が収容される区間の外側に形成されている。編目抑止溝２は、図２（ｃ）のような断面形状を有するので、係止する編目に連なる編地２０を、与える負担を軽減して歯口１０ａに垂下させることができる。同様に、図２（ｄ）の断面に示す斜行部６の傾斜も、編地２０を歯口１０ａで円滑に垂下させることに寄与する。
【００２６】
図４は、図３の横編機１０に使用するニードルプレート１２の構成を示す。図５は、図４のニードルプレート１２の歯口側先端付近の構成を示す。ニードルプレート１２は、下部１２ｃを基板１１に設けられる溝に嵌合させて、保持される。先端部１２ａは、基板１１よりも歯口１０ａ側に位置し、前端の下部に逃がし加工部１２ｄを有する。逃がし加工部１２ｄは、編目抑止溝２に係止された編目が斜行部６に沿って天歯１ａに抜けて、新たに編成された編目と円滑に重ね目を形成しやすくする。
【符号の説明】
【００２７】
１  編目抑止板
１ａ  天歯
２  編目抑止溝
３  係止片部
３ａ  内側縁
３ｂ  先端
４  奥端部
５  平行部
６  斜行部
６ａ  開始端
６ｂ  終了端
７  段差部
１０  横編機
１０ａ  歯口
１１  基板
１２  ニードルプレート
１２ａ  先端部
１２ｄ  逃がし加工部
１３  編針
１３ａ  フック
２０  編地
【図１】
2018145535.tif 000003
【図２】
2018145535.tif 000004
【図３】
2018145535.tif 000005
【図４】
2018145535.tif 000006
【図５】
2018145535.tif 000007